(57)【要約】【課題】  本発明は室内側に突出することなく天井面に取付けることができるとともに、水平方向の首振り調整や垂直方向の首振り調整が天井板にケース体を取付けた後でも行なうことができる監視カメラを得るにある。【解決手段】  天井板に形成した監視カメラ挿入孔内へ挿入することができる下端部が開口のケース体と、このケース体の開口端部に取付けられた監視カメラ挿入孔の外周部の天井板と当接した状態で、該天井板に固定されるリング状の支持板と、ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能あるいは支持板に着脱可能に取付けられた窓が形成されたカバー体とで監視カメラを構成している。【選択図】  図１
2008263503.tif 000002
【特許請求の範囲】
【請求項１】
天井板に形成した監視カメラ挿入孔内へ挿入することができる下端部が開口のケース体と、このケース体の開口端部に取付けられた前記監視カメラ挿入孔の外周部の天井板と当接した状態で、該天井板に固定されるリング状の支持板と、前記ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能あるいは支持板に着脱可能に取付けられた窓が形成されたカバー体とからなることを特徴とする監視カメラ。
【請求項２】
天井板に形成された監視カメラ挿入孔内へ挿入することができる下端部が開口し、かつ外周部に少なくとも2個以上のロック片収納凹部が形成されたケース体と、このケース体の開口端部に取付けられた前記カメラ挿入孔の外周部の天井板と当接するリング状の支持板と、前記少なくとも2個以上のロック片収納凹部の一方寄りの部位の前記リング状の支持板にそれぞれ回転可能に取付けられ、取付け方向の回転によって、前記ロック片収納凹部内にそれぞれ収納されたロック片の先端部が外方へ回動して、前記天井板の背面に位置して締付け方向に移動するボルトを用いたロック機構と、前記ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能あるいは支持板に着脱可能に取付けられた窓が形成されたカバー体とからなることを特徴とする監視カメラ。
【請求項３】
天井板に形成した監視カメラ挿入孔内へ挿入することができる下端部が開口のケース体と、このケース体の開口端部に取付けられた前記監視カメラ挿入孔の外周部の天井板と当接した状態で、該天井板に固定されるリング状の支持板と、前記ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能に取付けられる、前記リング状の支持板を覆う扇状の窓が形成されたカバー体とからなることを特徴とする監視カメラ。  
【発明の詳細な説明】
【技術分野】
【０００１】
本発明は天井面に取付けて使用される監視カメラに関する。
【背景技術】
【０００２】
従来の天井面に取付けられる監視カメラは、天井面より室内側に突出した状態で取付けられている。
【０００３】
このため、一目で監視カメラが設置されていることがわかり、見苦しくなるという欠点があった。
また、室内に突出しているので、室内の作業時に損傷させたり、ほこりやゴミが付着しやすいという欠点があった。
【特許文献１】特になし
【発明の開示】
【発明が解決しようとする課題】
【０００４】
本発明は以上のような従来の欠点に鑑み、室内側に突出することなく天井面に取付けることができるとともに、水平方向の首振り調整や垂直方向の首振り調整が天井板にケース体を取付けた後でも行なうことができる監視カメラを提供することを目的としている。
【０００５】
また、本発明は天井板に形成した監視カメラ挿入孔内へケース体を挿入した状態で、容易にケース体を天井板に固定することができる監視カメラを提供することを目的としている。
【０００６】
さらに、本発明は扇状の窓を形成したカバー体を用いても、水平方向の首振り調整や垂直方向の首振り調整後にカバー体を取付けても、十分にカメラの視野を妨げることなくカバー体を取付けることができる。
したがって、窓が小さく、美観の向上を図ることができる監視カメラを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は天井板に形成した監視カメラ挿入孔内へ挿入することができる下端部が開口のケース体と、このケース体の開口端部に取付けられた前記監視カメラ挿入孔の外周部の天井板と当接した状態で、該天井板に固定されるリング状の支持板と、前記ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能あるいは支持板に着脱可能に取付けられた窓が形成されたカバー体とで監視カメラを構成している。
【０００９】
本発明は天井板に形成された監視カメラ挿入孔内へ挿入することができる下端部が開口し、かつ外周部に少なくとも2個以上のロック片収納凹部が形成されたケース体と、このケース体の開口端部に取付けられた前記カメラ挿入孔の外周部の天井板と当接するリング状の支持板と、前記少なくとも2個以上のロック片収納凹部の一方寄りの部位の前記リング状の支持板にそれぞれ回転可能に取付けられ、取付け方向の回転によって、前記ロック片収納凹部内にそれぞれ収納されたロック片の先端部が外方へ回動して、前記天井板の背面に位置して締付け方向に移動するボルトを用いたロック機構と、前記ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能あるいは支持板に着脱可能に取付けられた窓が形成されたカバー体とで監視カメラを構成している。
【００１０】
本発明は天井板に形成した監視カメラ挿入孔内へ挿入することができる下端部が開口のケース体と、このケース体の開口端部に取付けられた前記監視カメラ挿入孔の外周部の天井板と当接した状態で、該天井板に固定されるリング状の支持板と、前記ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能に取付けられる、前記リング状の支持板を覆う扇状の窓が形成されたカバー体とで監視カメラを構成している。
【発明の効果】
【００１１】
以上の説明から明らかなように、本発明にあっては次に列挙する効果が得られる。
【００１２】
(１)  天井板に形成した監視カメラ挿入孔内へ挿入することができる下端部が開口のケース体と、このケース体の開口端部に取付けられた前記監視カメラ挿入孔の外周部の天井板と当接した状態で、該天井板に固定されるリング状の支持板と、前記ケース体内で所定量の水平方向の首振りができるように該ケース体に取付けられた回動筒と、この回動筒にリング状の支持板より突出することなく垂直方向の首振りができるように一対の回動アームを介して取付けられたカメラが取付けられたカメラ支持部材と、このカメラ支持部材の一対の回動アームと着脱可能あるいは支持板に着脱可能に取付けられた窓が形成されたカバー体とで構成されているので、天井板より室内側へはリング状の支持板とカバー体が位置した状態となり、室内側への突出している部分が少なく、じゃまになるのを防止することができるとともに、設置状態がわかりずらく、従来のようにほとんど突出していて見苦しくなるのを防止できる。
また、いたずら等によって損傷されたりするのを確実に防止することができる。
【００１３】
（２）前記（１）によって、設置後でも、回動筒やカメラ支持部材を水平方向や垂直方向に回動させて、パン調整とチルト調整を行なうことができる。
【００１４】
（３）前記（１）によって、カバー体をリング状の支持板に着脱可能に取付けているので、カバー体を外すと容易に回動筒やカメラ支持部材が現れて、容易に調整することができる。
【００１５】
（４）請求項２も前記（１）〜（３）と同様な効果が得られるとともに、ロック機構によって天井板に容易に取付けることができる。
【００１６】
（５）請求項３も前記（１）〜（３）と同様な効果が得られるとともに、小さな扇状の窓を用いたカバー体にできる。
したがって、美観の向上や、わかりずらい状態で設置することができる。
また、カバー体をカメラ支持部材の一対の回動アームに着脱可能に取付けることにより、カメラ支持部材に支持されているカメラの向きと一致するようにカバー体に小さな扇状の窓を形成することができる。
したがって、カバー体の取付けに苦労することなく、容易に取付けることができる。
【発明を実施するための最良の形態】
【００１７】
以下、図面に示す本発明を実施するための最良の形態により、本発明を詳細に説明する。
【００１８】
図１ないし図２０に示す本発明を実施するための最良の第１の形態において、１は天井板２に監視カメラ挿入孔３を形成して該部位に取付ける本発明の監視カメラで、この監視カメラ1は前記監視カメラ挿入孔３内へ挿入することができる下端部開口4のケース体５と、このケース体５の開口端部に取付けられた前記監視カメラ挿入孔３の外周部の天井板２と当接状態で、該天井板２に固定されるリング状の支持板6と、このリング状の支持板6を前記天井板２に固定するロック機構7と、前記ケース体５内で所定量の水平方向の首振りができるように該ケース体５に取付けられた回動筒8と、この回動筒8に前記リング状の支持板6より突出することなく垂直方向の首振りができるように一対の回動アーム9を介して取付けられたカメラ支持部材１０と、このカメラ支持部材１０の中央部に固定された前記端子１１、１２に接続されたカメラ１３と、前記カメラ支持部材１０の一対の回動アーム９、９と着脱可能に取付けられる前記リング状の支持板６を覆う扇状の窓１４が形成されたカバー体１５とで構成されている。
【００１９】
前記ケース体５は底面に端子１１、１２が取付けられた端子取付部１６、１７が形成され、対応する外側面にロック片収納凹部１８、１８が形成された底面閉鎖の筒状のケース体本体１９と、このケース体本体１９の開口部側の前記ロック片収納凹部１８、１８内へ突出するように形成された複数本のビス２０によって前記リング状の支持板６を固定する取付片２１、２１とで構成されている。
【００２０】
前記リング状の支持板６は外径が前記ケース体５の外径よりも大きく、内径が前記ケース体５の内径よりも小さなリング状の支持板本体２２と、この支持板本体２２の外周部を切り欠いて、前記ケース体５内へ挿入することができる
位置決め片２３、２３、２３、２３と、前記ケース体５の内径よりも内側に位置する部位の前記リング状の支持板本体２２に形成された弧状の長孔２４とで構成されている。
【００２１】
前記ロック機構７は前記取付片２１、２１が形成された部位と対応するロック片収納凹部１８、１８の底面側に、該ロック片収納凹部１８、１８内へ突出するように形成されたボルト挿入孔２５を有する支持片２６、２６と、この支持片２６、２６のボルト挿入孔２５、２５と対応する部位の前記リング状の支持板６に形成されたボルト挿入孔２７、２７と、このボルト挿入孔２７、２７と前記支持片２６、２６のボルト挿入孔２５、２５へ挿入されるボルト２８、２８と、このボルト２８、２８と螺合されるねじ孔２９が後端部に形成され、不使用時には先端部が前記取付片２１、２１に支持され、前記ボルト２８、２８を締付け方向に回動すると、先端部が天井板２上へ位置するロック片３０、３０とで構成されている。
【００２２】
前記回動筒８は前記リング状の支持板６の内径部分と隙間なく位置して回動可能な回動筒本体３１と、この回動筒本体３１の上部寄りの外周部と一体形成された前記リング状の支持板６の弧状の長孔２４の下部に位置するレバー片３２と、このレバー片３２に形成されたねじ孔３３と螺合し、前記弧状の長孔２４の任意の位置の周縁に固定することができる位置決めボルト３４と、前記回動筒本体３１の上端部に一体形成された複数個の、前記リング状の支持板６に係止される係止片３５、３５、３５と、前記回動筒本体３１の対応する内壁面に一体形成された回動アーム支持片３６、３６とで構成され、回動筒８は右側へ２５度、左側へ２５度位置調整できる。
【００２３】
前記カメラ支持部材１０はほぼ中央部に形成されたカメラ支持筒３７に着脱可能にカメラ１３が取付けられたベース板３８と、このベース板３８のカメラ支持筒３７の対向する部位より拡開状に突出し、先端部を枢支ピン３９、３９によって前記回動筒８の回動アーム支持片３６、３６に枢支された一対の回動アーム９、９と、この一対の回動アーム９、９の一方の回動アーム９に螺合された回動アーム９の回動を阻止するロックボルト４０とで構成され、０度から４５度の位置が調整できる。
【００２４】
前記カバー体１５は前記リング状の支持板６を覆うことができるカバー本体４１と、このカバー本体４１に形成された透明材４２で覆われた扇状の窓１４と、この扇状の窓１４の中央部側を挟んで配置された前記回動筒８の回動アーム支持片３６、３６を挟み、かつ回動筒８の内壁面に弾性状態で挟着される先端部がほぼく字状に曲げられた挟着片４４、４４とで構成されている。
【００２５】
上記構成の監視カメラ１は天井板２に監視カメラ挿入孔３を形成し、カバー体１５を外し、リング状の支持板６とロック片３０、３０との間が天井板２の厚さよりも大きく、かつロック片収納凹部１８、１８に収納させた状態でケース体５を挿入し、天井板２にリング状の支持板６を当接させ、ロック機構７のボルト２８、２８を締付け方向に回転させると、ロック片３０、３０の先端部はロック片収納凹部１８、１８より外方へ突出し、ロック片収納凹部１８、１８の壁面に当接する位置まで回動しながら突出する。
この状態でさらにボルト２８、２８を締付け方向に回転させることにより、ロック片３０、３０はリング状の支持板６方向、すなわちリング状の支持板６とロック片３０、３０とで天井板２を挟着する方向へ移動して、挟着固定することができる。
しかる後、回動筒８のレバー片３２のねじ孔３３と螺合している位置決めボルト３４をゆるめて弧状の長孔２４上をスライド移動させ、水平方向の位置調整を行なって位置決めボルト３４を締付けることにより、水平方向の位置を固定することができる。
さらに、ロックボルト４０をゆるめてカメラ支持部材１０を回動させて、垂直方向の位置調整を行なった後、ロックボルト４０を締付けることにより、カメラ支持部材１０が回動できないように固定される。
次に、回動筒８の回動アーム支持片３６、３６にカバー体１５の挟着片４４、４４で挟着されるように押し込むと、リング状の支持板６を覆った状態で取付けられる。この時、カバー体１５の窓１４はカメラ１３の向きと一致する部位に位置し、小さな窓１４であってもカメラ１３の視界を妨げることがない。
上記構成の監視カメラ１は天井板２に取付けた後でも回動筒８やカメラ支持部材１０を水平方向や垂直方向に回動させて、パン調整とチルト調整を行なうことができる。
[発明を実施するための異なる形態]
【００２６】
次に、図２１ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２７】
図２１ないし図２４に示す本発明を実施するための第２の形態において、前記本発明を実施するための最良の第１の形態と主に異なる点は、円筒状のケース体５Ａの開口端部に天井板２に複数本のビス４３で固定することができる複数個のビス挿入孔４５、４５、４５、４５が形成されたリング状の支持板６Ａを用いた点で、このようなリング状の支持板６Ａを用いて構成した監視カメラ１Ａにしても、前記本発明を実施するための最良の第１の形態と同様な作用効果が得られる。
【００２８】
図２５ないし図２７に示す本発明を実施するための第３の形態において、前記本発明を実施するための最良の第１の形態と主に異なる点は、中央部に円形状の透明板４２Ａで覆った窓１４Ａを形成したカバー体１５Ａを用いた点で、このようなカバー体１５Ａを用いた監視カメラ１Ｂにしても、窓１４Ａが大きくなる点以外、同様な作用効果が得られる。
【００２９】
なお、前記本発明を実施するための最良の第１の形態と第３の形態ではロック片収納凹部１８、１８を２個形成するものについて説明したが、本発明はこれに限らず、３個や４個であってもよい。
また、水平方向の位置調整用の弧状の長孔２４を長く形成して、左右方向に２５度以上の大きな角度調整できるようにしてもよい。
【産業上の利用可能性】
【００３０】
本発明は監視カメラを製造する産業で利用される。
【図面の簡単な説明】
【００３１】
【図１】本発明を実施するための最良の第１の形態の使用状態の説明図。
【図２】図１の２−２線に沿う拡大断面図。
【図３】本発明を実施するための最良の第１の形態の正面図。
【図４】本発明を実施するための最良の第１の形態の平面図。
【図５】本発明を実施するための最良の第１の形態の側面図。
【図６】本発明を実施するための最良の第１の形態の背面図。
【図７】本発明を実施するための最良の第１の形態の使用状態の背面図。
【図８】本発明を実施するための最良の第１の形態のケース体の説明図。
【図９】本発明を実施するための最良の第１の形態の支持板の説明図。
【図１０】本発明を実施するための最良の第１の形態の回動筒の正面図。
【図１１】本発明を実施するための最良の第１の形態の回動筒の側面図。
【図１２】本発明を実施するための最良の第１の形態のカメラ支持部材の正面図。
【図１３】本発明を実施するための最良の第１の形態のカメラ支持部材の平面図。
【図１４】本発明を実施するための最良の第１の形態のカメラ支持部材の側面図。
【図１５】本発明を実施するための最良の第１の形態のカバー体の正面図。
【図１６】本発明を実施するための最良の第１の形態のカバー体の背面図。
【図１７】本発明を実施するための最良の第１の形態のカバー体の側面図。
【図１８】本発明を実施するための最良の第１の形態のカバーを外した状態の正面図。
【図１９】本発明を実施するための最良の第１の形態のカメラのパン調整の説明図。
【図２０】本発明を実施するための最良の第１の形態のカメラのチルト調整の説明図。
【図２１】本発明を実施するための第２の形態の正面図。
【図２２】本発明を実施するための第２の形態の側面図。
【図２３】本発明を実施するための第２の形態の背面図。
【図２４】図２１の２４−２４線に沿う断面図。
【図２５】本発明を実施するための第３の形態の正面図。
【図２６】本発明を実施するための第３の形態の側面図。
【図２７】図２５の２７−２７線に沿う断面図。
【符号の説明】
【００３２】
1、１Ａ、１Ｂ：監視カメラ、    ２：天井板、
３：監視カメラ挿入孔、                ４：開口、
５、５Ａ：ケース体、                    ６、６Ａ：リング状の支持板、
７：ロック機構、                            ８：回動筒、
９：回動アーム、                            １０：カメラ支持部材、
１１、１２：端子、                                    １３：カメラ、
１４、１４Ａ：窓、                                    １５、１５Ａ：カバー体、
１６、１７：端子取付部、                        １８：ロック片収納凹部、
１９：ケース体本体、                    ２０：ビス、
２１：取付片、                                ２２：支持板本体、
２３：位置決め片、                                    ２４：弧状の長孔、
２５：ボルト挿入孔、                    ２６：支持片、
２７：ボルト挿入孔、                    ２８：ボルト、
２９：ねじ孔、                                ３０：ロック片、
３１：回動筒本体、                                    ３２：レバー片、
３３：ねじ孔、                                ３４：位置決めボルト、
３５：係止片、                                ３６：回動アーム支持片、
３７：カメラ支持筒、                    ３８：ベース板、
３９：枢支ピン、                            ４０：ロックボルト、
４１：カバー本体、                                    ４２、４２Ａ：透明板、
４３：ビス、                                                ４４：挟着片、
４５：ビス挿入孔。
【図１】
2008263503.tif 000003
【図２】
2008263503.tif 000004
【図３】
2008263503.tif 000005
【図４】
2008263503.tif 000006
【図５】
2008263503.tif 000007
【図６】
2008263503.tif 000008
【図７】
2008263503.tif 000009
【図８】
2008263503.tif 000010
【図９】
2008263503.tif 000011
【図１０】
2008263503.tif 000012
【図１１】
2008263503.tif 000013
【図１２】
2008263503.tif 000014
【図１３】
2008263503.tif 000015
【図１４】
2008263503.tif 000016
【図１５】
2008263503.tif 000017
【図１６】
2008263503.tif 000018
【図１７】
2008263503.tif 000019
【図１８】
2008263503.tif 000020
【図１９】
2008263503.tif 000021
【図２０】
2008263503.tif 000022
【図２１】
2008263503.tif 000023
【図２２】
2008263503.tif 000024
【図２３】
2008263503.tif 000025
【図２４】
2008263503.tif 000026
【図２５】
2008263503.tif 000027
【図２６】
2008263503.tif 000028
【図２７】
2008263503.tif 000029